(57)【要約】【課題】宅内回線に分岐線路が存在し、しかもその先端部が開放端となっている場合、分岐線路の先端部で信号が反射されるため、この反射波との干渉のために分岐線路の長さにより定まる周波数帯域において宅内配線の信号通過特性に大きな減衰が生じる。【解決手段】金属製の電話回線を介して、電話帯域の周波数よりも高い所定範囲の周波数でデジタル信号を伝送するｘＤＳＬ通信用のモデム２が接続された宅内配線の分岐線路４の先端部に、当該分岐線路４のインピーダンスに相当する抵抗値の抵抗１０を接続して信号が反射しないようにする。【選択図】        図１
2004260610.tif 000002
【特許請求の範囲】
【請求項１】
金属製の電話回線を介して、電話帯域の周波数よりも高い所定範囲の周波数でデジタル信号を伝送するｘＤＳＬ通信用のモデムが接続された宅内配線の分岐線路の先端部を、当該分岐線路のインピーダンスに相当する抵抗値の抵抗で終端することを特徴とするｘＤＳＬ通信用線路特性改善方法。
【請求項２】
前記抵抗に電話帯域の周波数を除去した信号を入力することを特徴とする請求項１に記載のｘＤＳＬ通信用線路特性改善方法。
【請求項３】
前記抵抗に電話帯域の周波数を除去した信号を入力すると共に、ｘＤＳＬ通信用の前記所定範囲の周波数を除去した信号を電話機に入力することを特徴とする請求項１に記載のｘＤＳＬ通信用線路特性改善方法。
【請求項４】
前記抵抗は抵抗値が固定されていることを特徴とする請求項１乃至３のいずれかに記載のｘＤＳＬ通信用線路特性改善方法。
【請求項５】
前記抵抗は抵抗値が可変であることを特徴とする請求項１乃至３のいずれかに記載のｘＤＳＬ通信用線路特性改善方法。
【請求項６】
金属製の電話回線を介して、電話帯域の周波数よりも高い所定範囲の周波数でデジタル信号を伝送するｘＤＳＬ通信用のモデムが接続された宅内配線の分岐線路の先端部に装着される終端装置であって、
当該分岐線路のインピーダンスに相当する抵抗値の抵抗を備えると共に、少なくとも１つの電話線接続のための接続手段を備えることを特徴とする終端装置。
【請求項７】
金属製の電話回線を介して、電話帯域の周波数よりも高い所定範囲の周波数でデジタル信号を伝送するｘＤＳＬ通信用のモデムが接続された宅内配線の分岐線路の先端部に、当該分岐線路のインピーダンスに相当する抵抗値の抵抗を接続したことを特徴とする終端装置。
【請求項８】
前記抵抗の前段に電話帯域の周波数の信号を除去するハイパスフィルタを備えたことを特徴とする請求項６又は７に記載の終端装置。
【請求項９】
前記抵抗の前段に電話帯域の周波数の信号を除去するハイパスフィルタを備えると共に、ｘＤＳＬ通信用の前記所定範囲の周波数を除去した信号を電話機に入力するローパスフィルタを備えたことを特徴とする請求項６又は７に記載の終端装置。
【請求項１０】
前記抵抗は抵抗値が固定された固定抵抗であることを特徴とする請求項６乃至９のいずれかに記載の終端装置。
【請求項１１】
前記抵抗は抵抗値が可変の可変抵抗であることを特徴とする請求項６乃至９のいずれかに記載の終端装置。
【請求項１２】
前記分岐線路の先端部である電話線接続口に着脱自在に接続する接続手段を備えたことを特徴とする請求項６乃至１１のいずれかに記載の終端装置。
【請求項１３】
前記分岐線路の先端部である電話線接続口に着脱自在に接続する接続手段と、該接続手段と接続する配線とを備えたことを特徴とする請求項６乃至１１のいずれかに記載の終端装置。
【発明の詳細な説明】
【０００１】
【発明の属する技術分野】
本発明は金属製の電話回線をデジタル通信用線路として利用するいわゆるＤＳＬ  （Ｄｉｇｉｔａｌ  Ｓｕｂｓｃｒｉｂｅｒ  Ｌｉｎｅ）通信（ＡＤＳＬ，  ＶＤＳＬ等）の線路特性改善方法及びそのための終端装置に関する。
【０００２】
【従来の技術】
金属製の電話回線を利用してディジタル信号の伝送を行なうｘＤＳＬ通信方式が普及している。これは、電話帯域が比較的低い周波数帯域であることに着目し、比較的高い周波数帯域のデジタル信号を金属製の電話回線を利用して伝送する技術である。図１０はそのようなｘＤＳＬ通信方式の電話回線を利用した伝送線路の構成例を示す模式図である。
【０００３】
図１０において、１は電話局内又は集合住宅の建物内等に設置されているｘＤＳＬモデムを示しており、通常の金属製の宅外電話回線３０に接続されている。宅外電話回線３０は各家庭内又はオフィス内へ宅内配線３１により接続されている。２は一般の家庭内又はオフィス内に設置されたｘＤＳＬモデムを示しており、宅内配線３１に接続されている。また、５は宅内配線３１から分岐した分岐線路（ブリッジタップとも称する）４の先端に設けられている電話線接続口を示しており、通常は開放されている。即ち、分岐線路端は通常は開放端となっている。
【０００４】
図１１は、ｘＤＳＬ通信方式の一例としてのＶＤＳＬ通信方式で用いる上り帯域及び下り帯域の周波数配置の例を示す説明図である。ここでは、１．１〜３．７５ＭＨｚ，５．２〜８．５ＭＨｚを下り帯域に、３．７５〜５．２ＭＨｚ，８．５〜１２ＭＨｚを上り帯域にそれぞれ使用する。
【０００５】
ＡＤＳＬ，  ＶＤＳＬ通信方式を含むｘＤＳＬ通信方式では、通信を開始する際に、上り／下りそれぞれのトーンを使用して、相手側のモデムとの間で、所持する機能及び特殊仕様（オプション）等の伝送条件設定に関する情報を交換し合うハンドシェークを実行する。これにより、実際の通信で使用する通信モード及び特殊仕様を選択して、互いの伝送歩調を整える。
【０００６】
ｘＤＳＬ通信方式においては、ハンドシェークに使用するトーンとして、ｘＤＳＬ通信方式で使用する周波数帯域内で、上り／下りそれぞれに３本程度を使用しており、その内の少なくとも１本で送受信出来れば良いようになっている。このように、ｘＤＳＬ通信方式でのハンドシェークでは、ｘＤＳＬのＤＭＴ（Ｄｉｓｃｒｅｔｅ  Ｍｕｌｔｉ  Ｔｏｎｅ  ）変調で使用される４．３１２５ｋＨｚの整数倍周波数のトーンを使用するのが一般的であるが、それ以外の周波数を使用しても良い。
【０００７】
【非特許文献１】
国際電気通信連合  電気通信標準化部門勧告Ｇ．９９２．１  （Ａｓｍｍｅｔｒｉｃａｌ  ｄｉｇｉｔａｌ  ｓｕｂｓｃｒｉｂｅｒ  ｌｉｎｅ  （ＡＤＳＬ）  ｔｒａｎｓｃｅｉｖｅｒｓ）
【非特許文献２】
国際電気通信連合  電気通信標準化部門勧告Ｇ．９９２．２  （Ｓｐｌｉｔｔｅｒｌｅｓｓ  ａｓｙｍｍｅｔｒｉｃ  ｄｉｇｉｔａｌ  ｓｕｂｓｃｒｉｂｅｒ  ｌｉｎｅ  （ＡＤＳＬ）  ｔｒａｎｓｃｅｉｖｅｒｓ）
【非特許文献３】
国際電気通信連合  電気通信標準化部門勧告Ｇ．９９３．１  （Ｖｅｒｙ  ｈｉｇｈ  ｓｐｅｅｄ  ｄｉｇｉｔａｌ  ｓｕｂｓｃｒｉｂｅｒ  ｌｉｎｅ  ｆｏｕｎｄａｔｉｏｎ）
【非特許文献４】
国際電気通信連合  電気通信標準化部門勧告Ｇ．９９４．１  （Ｈａｎｄｓｈａｋｅ  ｐｒｏｃｅｄｕｒｅｓ  ｆｏｒ  ｄｉｇｉｔａｌ  ｓｕｂｓｃｒｉｂｅｒ  ｌｉｎｅ  （ＡＤＳＬ）  ｔｒａｎｓｃｅｉｖｅｒｓ）
【非特許文献５】
国際電気通信連合  電気通信標準化部門勧告Ｇ．９９６．１  （Ｔｅｓｔ  ｐｒｏｃｅｄｕｒｅ  ｆｏｒ  ｄｉｇｉｔａｌ  ｓｕｂｓｃｒｉｂｅｒ  ｌｉｎｅ  （ＤＳＬ）  ｔｒａｎｓｃｅｉｖｅｒｓ）
【０００８】
【発明が解決しようとする課題】
ところで、ｘＤＳＬ用のモデムは主として家庭内に設置されていてインターネット接続等に利用される。しかし、電話回線の宅内配線においては、複数の電話線接続口が設けられている場合が多く、そのような場合には宅内配線に数ｍ乃至数十ｍ程度の分岐線路、即ち分岐線路が存在することになる。特に、ｘＤＳＬモデムと通常の電話機とを宅内配線に接続している場合には、電話機が接続されている配線が必然的に分岐線路になる。
【０００９】
上述のように、宅内回線に分岐線路が存在し、しかもその端部が開放端となっている場合、分岐線路端で信号が反射されるため、この反射波との干渉のために分岐線路の長さにより定まる周波数帯域において宅内配線の信号通過特性に大きな減衰が生じる。このことは電話機が接続されているか否かには拘わらない。図１２はそのような分岐線路端が開放されている場合の減衰特性の例を示すグラフである。
【００１０】
図１２は、３００ｍの宅外線路の先に５０ｍの宅内配線が存在する場合の減衰の周波数特性を示す。パターン０の実線は宅内配線に分岐線路が存在しない場合の周波数特性を示し、パターン１の一点鎖線は宅内配線の３５ｍの位置からｘＤＳＬモデムまでが１５ｍで、分岐線路端までが１５ｍの場合の減衰の周波数特性を、パターン２の破線は宅内配線の３０ｍの位置からｘＤＳＬモデムまでが２０ｍで、分岐線路端までが２０ｍの場合の減衰の周波数特性をそれぞれ示している。
【００１１】
上述の図１２のグラフと前述の図１１に示したＶＤＳＬ通信方式で用いる上り帯域及び下り帯域の周波数配置の例とを比較すると、先端が開放状態の分岐線路の存在に起因する周波数帯域の減衰部分とハンドシェークのトーンの周波数帯域とが重なった場合には、ハンドシェークのトーンの送信レベルが減衰するため、通信を確立することができなくなる虞が生じる。
【００１２】
また、ｘＤＳＬの伝送性能は電話回線の線路通過特性と密接に関係しているため、先端が開放状態の分岐線路が存在する場合には特定の減衰帯域において信号の通過特性が劣化して通過信号そのものも、図１２に示すように下方に突出する形状で減衰が大になる（以下、このような下方に突出する形状の減衰を突出減衰という）。このため、ｘＤＳＬ信号の伝送速度を低下させる大きな要因となっている。
【００１３】
本発明は以上のような事情に鑑みてなされたものであり、電話帯域そのものには悪影響を与えることなしに、主として家庭内またはオフィス内の宅内配線の分岐線路によるｘＤＳＬ通信への悪影響、即ちハンドシェーク用トーンへの影響を減少させ、また伝送速度の低下を防止し得るｘＤＳＬ通信用線路特性改善方法及びそのための終端装置の提供を目的とする。
【００１４】
【課題を解決するための手段】
第１の発明に係るｘＤＳＬ通信用線路特性改善方法は、金属製の電話回線を介して、電話帯域の周波数よりも高い所定範囲の周波数でデジタル信号を伝送するｘＤＳＬ通信用のモデムが接続された宅内配線の分岐線路の先端部を、当該分岐線路のインピーダンスに相当する抵抗値の抵抗で終端することを特徴とする。
【００１５】
このような第１の発明のｘＤＳＬ通信用線路特性改善方法では、分岐線路の開放されている先端部が当該分岐線路のインピーダンスに相当する抵抗値の抵抗で終端されることにより、信号の反射が生じない。
【００１６】
また第２の発明に係るｘＤＳＬ通信用線路特性改善方法は、上記第１の発明において、前記抵抗に電話帯域の周波数を除去した信号を入力することを特徴とする。
【００１７】
このような第２の発明のｘＤＳＬ通信用線路特性改善方法では、電話帯域の周波数が除去されて抵抗に入力される。
【００１８】
また第３の発明に係るｘＤＳＬ通信用線路特性改善方法は、上記第１の発明において、前記抵抗に電話帯域の周波数を除去した信号を入力すると共に、ｘＤＳＬ通信用の前記所定範囲の周波数を除去した信号を電話機に入力することを特徴とする。
【００１９】
このような第３の発明のｘＤＳＬ通信用線路特性改善方法では、電話帯域の周波数が除去されて抵抗に入力される一方、ｘＤＳＬ用の所定の周波数の信号が除去されて電話機に入力される。
【００２０】
更に第４の発明に係るｘＤＳＬ通信用線路特性改善方法は、上記第１乃至第３の発明のいずれかにおいて、前記抵抗は抵抗値が固定されていることを特徴とする。
【００２１】
このような第４の発明のｘＤＳＬ通信用線路特性改善方法では、抵抗の抵抗値が所定の値に固定される。
【００２２】
また更に第５の発明に係るｘＤＳＬ通信用線路特性改善方法は、上記第１乃至第３の発明のいずれかにおいて、前記抵抗は抵抗値が可変であることを特徴とする。
【００２３】
このような第５の発明のｘＤＳＬ通信用線路特性改善方法では、抵抗の抵抗値が任意の値に変更される。
【００２４】
第６の発明に係るｘＤＳＬ通信用線路の終端装置は、金属製の電話回線を介して、電話帯域の周波数よりも高い所定範囲の周波数でデジタル信号を伝送するｘＤＳＬ通信用のモデムが接続された宅内配線の分岐線路の先端部に装着される終端装置であって、当該分岐線路のインピーダンスに相当する抵抗値の抵抗を備えると共に、少なくとも１つの電話線接続のための接続手段を備えることを特徴とする。
【００２５】
このような第６の発明の終端装置では、宅内配線の分岐線路の先端部に装着された場合に、分岐線路の開放されている先端部が当該分岐線路のインピーダンスに相当する抵抗値の抵抗で終端されることにより信号の反射が生じない。
【００２６】
第７の発明に係る終端装置は、金属製の電話回線を介して、電話帯域の周波数よりも高い所定範囲の周波数でデジタル信号を伝送するｘＤＳＬ通信用のモデムが接続された宅内配線の分岐線路の先端部に、当該分岐線路のインピーダンスに相当する抵抗値の抵抗を接続したことを特徴とする。
【００２７】
このような第７の発明の終端装置では、分岐線路の開放されている先端部が当該分岐線路のインピーダンスに相当する抵抗値の抵抗で終端されることにより信号の反射が生じない。
【００２８】
また第８の発明に係る終端装置は、上記第６又は第７の発明において、前記抵抗の前段に電話帯域の周波数の信号を除去するハイパスフィルタを備えたことを特徴とする。
【００２９】
このような第８の発明の終端装置では、電話帯域の周波数が除去されて抵抗に入力される。
【００３０】
また第９の発明に係る終端装置は、上記第６又は第７の発明において、前記抵抗の前段に電話帯域の周波数の信号を除去するハイパスフィルタを備えると共に、ｘＤＳＬ通信用の前記所定範囲の周波数を除去した信号を電話機に入力するローパスフィルタを備えたことを特徴とする。
【００３１】
このような第９の発明の終端装置では、電話帯域の周波数が除去されて抵抗に入力される一方、ｘＤＳＬ用の所定の周波数の信号が除去されて電話機に入力される。
【００３２】
また第１０の発明に係る終端装置は、上記第６乃至第９の発明のいずれかにおいて、前記抵抗は抵抗値が固定された固定抵抗であることを特徴とする。
【００３３】
このような第１０の発明の終端装置では、抵抗の抵抗値が所定の値に固定される。
【００３４】
また第１１の発明に係る終端装置は、上記第６乃至第９の発明のいずれかにおいて、前記抵抗は抵抗値が可変の可変抵抗であることを特徴とする。
【００３５】
このような第１１の発明の終端装置では、抵抗の抵抗値が任意の値に変更される。
【００３６】
また第１２の発明に係る終端装置は、上記第６乃至第１１の発明のいずれかにおいて、前記分岐線路の先端部である電話線接続口に着脱自在に接続する接続手段を備えたことを特徴とする。
【００３７】
このような第１２の発明の終端装置では、必要に応じて分岐線路の先端部である電話線接続口に直接接続される。
【００３８】
また第１３の発明に係る終端装置は、上記第６乃至第１１の発明のいずれかにおいて、前記分岐線路の先端部である電話線接続口に着脱自在に接続する接続手段と、該接続手段と接続する配線とを備えたことを特徴とする。
【００３９】
このような第１３の発明の終端装置では、必要に応じて分岐線路の先端部である電話線接続口に配線を介して接続される。
【００４０】
【発明の実施の形態】
以下、本発明をその実施の形態を示す図面に基づいて詳述する。図１（ａ），  （ｂ），  （ｃ）  は本発明のｘＤＳＬ通信用線路の終端装置の実施の形態を例示する回路図である。
【００４１】
本発明に係るｘＤＳＬ通信用線路特性改善方法は基本的には、分岐線路４の先端部の電話線接続口５を開放状態に放置することなく、図１（ａ）  に示す模式図のように、電話回線のインピーダンスに相当する抵抗値の抵抗１０で終端する。なお、実際の終端装置１１としては、電話線接続口５に着脱可能なプラグを備えたケース内に抵抗１０を内蔵した形態となる。
【００４２】
このような図１（ａ）  に示す終端装置１１を分岐線路４の開放端である電話線接続口５に接続することにより、分岐線路４の先端部が開放されていることに起因する信号の反射がなくなり、これに伴って伝送路の通過特性に特定の減衰帯域における突出減衰が平準化されるので、ハンドシェーク時の通信確立に失敗することがなくなり、また通信確立後のｘＤＳＬのデジタル信号の伝送速度も向上する。
【００４３】
図２は上述の図１（ａ）  に示す終端装置１１を分岐線路４の開放端である電話線接続口５に接続した場合の線路減衰状態を示すグラフである。具体的には、図１には細線で示す分岐線路端が開放されている場合の線路減衰特性と、太線で示す抵抗１０として１５０Ωの抵抗を備えた終端装置１１を接続した場合の線路減衰特性とが示されている。この図２のグラフからは、１５０Ωの抵抗１０で分岐線路４の先端部を終端した場合に分岐線路に起因する突出減衰が平準化されることが理解される。
【００４４】
また本発明に係るｘＤＳＬ通信用線路特性改善方法の第２の実施態様としては、分岐線路４の先端部の電話線接続口５を開放状態に放置することなく抵抗１０で終端することは同様であるが、抵抗１０の電話線接続口５側にハイパスフィルタ１０Ｈを介装してある。なおこのハイパスフィルタ１０Ｈは、比較的低周波数である電話帯域は通過させずに比較的高周波数であるｘＤＳＬ信号のみを抵抗１０へ通過させるためのものである。なお、実際の終端装置１２としては、電話線接続口５に着脱可能なプラグを備えたケース内にハイパスフィルタ１０Ｈ及び抵抗１０を内蔵し、プラグ側にハイパスフィルタ１０Ｈを接続し、このハイパスフィルタ１０Ｈのプラグ側とは逆側に抵抗１０を接続して終端した形態となる。
【００４５】
図３は上述の図１（ｂ）  に示す終端装置１２を分岐線路４の開放されている先端部である電話線接続口５に接続した場合の線路減衰状態を示すグラフである。具体的には、図３には細線で示す分岐線路端が開放されている場合の線路減衰特性と、太線で示すハイパスフィルタ１０Ｈと１５０Ωの抵抗１０とを備えた終端装置１２を接続した場合の線路減衰特性とが示されている。この図３のグラフからは、ハイパスフィルタ１０Ｈを介して１５０Ωの抵抗１０で分岐線路４の先端部を終端した場合に分岐線路に起因する突出減衰が平準化されることが理解される。
【００４６】
このような図１（ｂ）  に示す終端装置１２を分岐線路４の開放されている先端部である電話線接続口５に接続することにより、分岐線路４の先端部が開放されていることに起因する信号の反射がなくなり、これに伴って伝送路の通過特性に特定の減衰帯域における突出減衰が平準化されるので、ハンドシェーク時の通信確立に失敗することがなくなり、また通信確立後のｘＤＳＬのデジタル信号の伝送速度も向上する。
【００４７】
また本発明に係るｘＤＳＬ通信用線路特性改善方法の第３の実施態様は、分岐線路４の先端部の電話線接続口５に電話機を接続する場合に対応する。この場合、分岐線路４の先端部を開放状態に放置することなくハイパスフィルタ１０Ｈを介して抵抗１０で終端することは図１（ｂ）  に示した例と同様であるが、電話機２０を接続するためにハイパスフィルタ１０Ｈの手前で配線を分岐させてｘＤＳＬ信号を通過させずに電話帯域のみを通過させるローパスフィルタ１０Ｌを介して電話機２０と接続する。なお、実際の終端装置１３としては、電話線接続口５に装着可能なプラグを備えたケース内で配線を分岐し、その一方の配線には図１（ｂ）  に示した構成と同様に、プラグ側にハイパスフィルタ１０Ｈを接続し、このハイパスフィルタ１０Ｈのプラグ側とは逆側に抵抗１０を接続して終端し、他方の配線にはローパスフィルタ１０Ｌを接続し、このローパスフィルタ１０Ｌを介して電話機２０を接続可能にする。
【００４８】
図４は上述の図１（ｃ）  に示す終端装置１３を分岐線路４の開放されている先端部である電話線接続口５に接続した場合の線路減衰状態を示すグラフである。具体的には、図４には細線で示す分岐線路端が開放されている場合の線路減衰特性と、太線で示すハイパスフィルタ１０Ｈを介して１５０Ωの抵抗１０で終端すると共に、ローパスフィルタ１０Ｌを介して電話機２０を接続した終端装置１３を接続した場合の線路減衰特性とが示されている。この図４のグラフからは、終端装置１３で分岐線路４の先端部を終端した場合に分岐線路に起因する突出減衰が平準化されることが理解される。
【００４９】
このような図１（ｃ）  に示す終端装置１３を分岐線路４の開放されている先端部である電話線接続口５に接続することにより、伝送路の通過特性に分岐線路４の先端部が開放されていることに起因する信号の反射がなくなり、これに伴って伝送路の通過特性に特定の減衰帯域における突出減衰が平準化されるので、ハンドシェーク時の通信確立に失敗することがなくなり、また通信確立後のｘＤＳＬのデジタル信号の伝送速度も向上する。
【００５０】
ここで、ｘＤＳＬモデムと電話機との双方を宅内配線に接続して利用する最も一般的な図１（ｃ）  に示す終端装置１３を使用した場合のｘＤＳＬ信号の伝送性能の改善例について説明する。
【００５１】
図５に示す例のように、宅外配線３０が３００ｍで、宅内の分岐線路の分岐までの配線３１が４０ｍで、分岐からの分岐線路４が１４ｍで、分岐からｘＤＳＬモデム２までの配線が１４ｍである場合に、分岐線路ＦＰ３の先端部の電話線接続口５に図１（ｃ）  に示す終端装置１３を接続し、更に終端装置１３には電話機２０を接続した。この例で終端装置１３が存在しない場合は、ｘＤＳＬ信号は破線にて示すように、電話線接続口５で反射する。
【００５２】
この図５に示す構成において、ＶＤＳＬモデムを宅内のｘＤＳＬモデム２として使用した場合、図６の表に示すように、分岐線路先端部の電話線接続口５を開放した状態（１）と、電話線接続口５に図１（ｃ）  に示す終端装置１３を接続した状態（２）とでは、下り伝送性能が２５．４Ｍｂｐｓから２７．７Ｍｂｐｓに、上り伝送性能が１５．６Ｍｂｐｓから１７．５Ｍｂｐｓにそれぞれ向上した。
【００５３】
また図７は上述の（１）の場合の線路通過特性を細線で、同（２）の場合の線路通過特性を太線でそれぞれ示したグラフである。この図７のグラフからは、図１（ｃ）  に示した終端装置１３で分岐線路端を終端した場合の方が分岐線路に起因する突出減衰が平準化され、全体としては向上していることが理解される。
【００５４】
なお、上述の各実施の形態においては、抵抗１０はいずれも抵抗値が固定された固定抵抗を使用しているが、抵抗１０を可変抵抗とし、ｘＤＳＬ伝送の通信速度を測定する装置又はコンピュータプログラムを利用して最適な抵抗値に設定するようにしてもよい。
【００５５】
また、図１（ａ）  及び（ｂ）  に示した終端装置１１及び１２はいずれも、図８（ａ）  又は図８（ｂ）  に示すような形状に構成することが可能である。即ち、図８（ａ）  に示す形状は、終端装置１１，  １２のケース１１Ｃに、電話線接続口に挿入して接続するプラグ１１Ｐを固定した構成である。また図８（ｂ）  に示す形状は、終端装置１１，  １２のケース１１Ｃに、電線１１Ｗを介して電話線接続口に挿入して接続するプラグ１１Ｐを接続した構成である。
【００５６】
図８（ａ）  に示す形状の終端装置１１，  １２は、電話線接続口に直接装着してもよい場合のための形状であり、図８（ｂ）  に示す形状の終端装置１１，  １２は、電話線接続口に直接装着した場合にたとえば他の家具等の邪魔になるような場合のための形状である。
【００５７】
また、図１（ｃ）  に示した終端装置１３は、図９（ａ）  又は図９（ｂ）  に示すような形状に構成することが可能である。即ち、図９（ａ）  に示す形状は、終端装置１３のケース１３Ｃに、電話線接続口に挿入して接続するプラグ１３Ｐを固定した構成である。また図８（ｂ）  に示す形状は、終端装置１３のケース１３Ｃに、電線１３Ｗを介して電話線接続口に挿入して接続するプラグ１３Ｐを接続した構成である。なお、終端装置１３は電話機２０を接続するための終端装置であるので、ケース１３Ｃのプラグ１３Ｐが備えられている背面には電話機２０を接続するためのレセプタクル１３Ｒが設けられている。
【００５８】
図９（ａ）  に示す形状の終端装置１３は、電話線接続口に直接装着してもよい場合のための形状であり、図９（ｂ）  に示す形状の終端装置１３は、電話線接続口に直接装着した場合にたとえば他の家具等の邪魔になるような場合のための形状である。
【００５９】
【発明の効果】
以上に詳述したように、第１の発明のｘＤＳＬ通信用線路特性改善方法によれば、分岐線路の先端部が開放されている箇所が終端されて信号が反射しくなるので、伝送路の通過特性に特定の減衰帯域における突出減衰が平準化され、ハンドシェーク時の通信確立に失敗することがなくなり、また通信確立後のｘＤＳＬのデジタル信号の伝送速度も向上する。
【００６０】
また第２の発明のｘＤＳＬ通信用線路特性改善方法によれば、電話帯域の周波数が除去されて抵抗に入力されるので、電話帯域には悪影響が及ばない。
【００６１】
また第３の発明のｘＤＳＬ通信用線路特性改善方法によれば、電話帯域の周波数が除去されて抵抗に入力されると共に、ｘＤＳＬ用の所定の周波数の信号が除去されて電話機に入力されるので、電話帯域には悪影響が及ばない。
【００６２】
更に第４の発明のｘＤＳＬ通信用線路特性改善方法によれば、抵抗の抵抗値が所定の値に固定されるので、手軽に使用できる。
【００６３】
また更に第５の発明のｘＤＳＬ通信用線路特性改善方法によれば、抵抗の抵抗値が任意の値に変更されるので、適切な抵抗値を設定することが可能になる。
【００６４】
更に第６の発明の終端装置によれば、宅内配線の分岐線路の先端部に装着された場合に、分岐線路の開放されている先端部が当該分岐線路のインピーダンスに相当する抵抗値の抵抗で終端されることにより信号の反射が生じないので、伝送路の通過特性に特定の減衰帯域における突出減衰が平準化され、ハンドシェーク時の通信確立に失敗することがなくなり、また通信確立後のｘＤＳＬのデジタル信号の伝送速度も向上する。
【００６５】
また更に第７の発明の終端装置によれば、分岐線路の先端部が開放されている場合にも終端されて信号が反射しないので、伝送路の通過特性に特定の減衰帯域における突出減衰が平準化され、ハンドシェーク時の通信確立に失敗することがなくなり、また通信確立後のｘＤＳＬのデジタル信号の伝送速度も向上する。
【００６６】
また第８の発明の終端装置によれば、電話帯域の周波数が除去されて抵抗に入力されるので、電話帯域には悪影響が及ばない。
【００６７】
また第９の発明の終端装置によれば、電話帯域の周波数が除去されて抵抗に入力されると共に、ｘＤＳＬ用の所定の周波数の信号が除去されて電話機に入力されるので、電話帯域には悪影響が及ばない。
【００６８】
更に第１０の発明の終端装置によれば、抵抗の抵抗値が所定の値に固定されるので、手軽に使用できる。
【００６９】
また更に第１１の発明の終端装置によれば、抵抗の抵抗値が任意の値に変更されるので、適切な抵抗値を設定することが可能になる。
【００７０】
更にまた第１２の発明の終端装置によれば、必要に応じて分岐線路の先端部である電話線接続口に直接接続されるので、取扱が容易である。
【００７１】
また更に第１３の発明の終端装置によれば、必要に応じて分岐線路の先端部である電話線接続口に配線を介して接続されるので、他の家具等の邪魔にならないようにすることが可能になる。
【図面の簡単な説明】
【図１】本発明のｘＤＳＬ通信用線路の終端装置の実施の形態を例示する回路図である。
【図２】図１（ａ）  に示す終端装置を分岐線路の開放端である電話線接続口に接続した場合の線路減衰状態を示すグラフである。
【図３】図１（ｂ）  に示す終端装置を分岐線路の開放端である電話線接続口に接続した場合の線路減衰状態を示すグラフである。
【図４】図１（ｃ）  に示す終端装置を分岐線路の開放端である電話線接続口に接続した場合の線路減衰状態を示すグラフである。
【図５】ｘＤＳＬモデムと電話機との双方を宅内配線に接続して利用する最も一般的な図１（ｃ）  に示す終端装置を使用した場合のｘＤＳＬ信号の伝送性能の改善例について説明するための模式図である。
【図６】図５に示す構成において、ＶＤＳＬモデムを宅内のｘＤＳＬモデムとして使用した場合の伝送性能の向上を示す表である。
【図７】図５に示す構成において、ＶＤＳＬモデムを宅内のｘＤＳＬモデムとして使用した場合の線路通過特性を示すグラフである。
【図８】図１（ａ）  及び（ｂ）  に示した終端装置の具体的な形状を示す模式図である。
【図９】図１（ｃ）  に示した終端装置の具体的な形状を示す模式図である。
【図１０】ｘＤＳＬ通信方式の電話回線を利用した伝送線路の構成例を示す模式図である。
【図１１】ｘＤＳＬ通信方式の一例としてのＶＤＳＬ通信方式で用いる上り帯域及び下り帯域の周波数配置の例を示す説明図である。
【図１２】ｘＤＳＬ通信方式において分岐線路端が開放されている場合の減衰特性の例を示すグラフである。
【符号の説明】
２  ｘＤＳＬモデム
３０  宅外配線
３１  宅内配線
４  分岐線路（ブリッジタップ）
５  電話線接続口（分岐線路端）
１０  抵抗
１０Ｈ  ハイパスフィルタ
１０Ｌ  ローパスフィルタ
１１  終端装置
１２  終端装置
１３  終端装置
【図１】
2004260610.tif 000003
【図２】
2004260610.tif 000004
【図３】
2004260610.tif 000005
【図４】
2004260610.tif 000006
【図５】
2004260610.tif 000007
【図６】
2004260610.tif 000008
【図７】
2004260610.tif 000009
【図８】
2004260610.tif 000010
【図９】
2004260610.tif 000011
【図１０】
2004260610.tif 000012
【図１１】
2004260610.tif 000013
【図１２】
2004260610.tif 000014